(57)【要約】      （修正有）【課題】誘導灯を収納して携帯又は保管できるとともに、使用者が立った姿勢で座るのにも利用でき足腰への負担や疲労を軽減できる誘導灯収納具を提供する。【解決手段】誘導灯収納具１０は、グリップの先端に発光部が設けられた携帯型誘導灯を内部に出し入れ自在に収納できる収容空間を有する一方に長い中空筒体１２と、中空筒体の一端部に設けられ、使用者が手で把持する把持部１４と、中空筒体の他端部に設けられ、地面に接地させうる接地部１６と、把持部の先端に設けられ、接地部を地面に接地させて中空筒体を立てた状態で使用者が尻を載せることが可能な尻載せ部１８と、を備える。【選択図】図１
0003217335.tif 000002
【実用新案登録請求の範囲】
【請求項１】
グリップの先端に発光部が設けられた携帯型誘導灯を内部に出し入れ自在に収納できる収容空間を有する一方に長い中空筒体と、
該中空筒体の一端部に設けられ、使用者が手で把持する把持部と、
該中空筒体の他端部に設けられ、地面に接地させうる接地部と、
把持部の先端に設けられ、接地部を地面に接地させて中空筒体を立てた状態で使用者が尻を載せることが可能な尻載せ部と、を備えたことを特徴とする誘導灯収納具。
【請求項２】
接地部から尻載せ部までの長さを変更できる長さ調整手段を有することを特徴とする請求項１記載の誘導灯収納具。
【請求項３】
長さ調整手段は、中空筒体に対して把持部を進退自在に取り付けて長さを変更可能な伸縮機構を含むことを特徴とする請求項２記載の誘導灯収納具。
【請求項４】
中空筒体の側面に透光部が設けられたことを特徴とする請求項１ないし３のいずれかに記載の誘導灯収納具。
【請求項５】
中空筒体の側面に蛍光体が設けられたことを特徴とする請求項１ないし４のいずれかに記載の誘導灯収納具。
【請求項６】
中空筒体と接地部とを着脱自在に構成し、該中空筒体の接地部との取付口に誘導灯の出し入れ開口を形成したことを特徴とする請求項１ないし５のいずれかに記載の誘導灯収納具。
【請求項７】
尻載せ部に着脱可能に装着して、使用者の尻を載せうる面積を拡大する補助座部材を有することを特徴とする請求項１ないし６のいずれかに記載の誘導灯収納具。
【考案の詳細な説明】
【技術分野】
【０００１】
本考案は、例えば、交通誘導員や警備員等が携帯して使用する誘導灯を収納して携帯可能であるとともに、誘導員等の足腰への負担を軽減するのにも活用できる誘導灯収納具に関する。
【背景技術】
【０００２】
駐車場や道路工事の現場又はイベント会場等では、誘導員や警備員が車両や人を安全に誘導するために、誘導灯が使用されている。誘導灯は、例えば、特許文献１に示すように、手で握るグリップ部の先端に筒状に長い発光部が固定されており、注意を促すように赤色の光で点灯させたり点滅させたりさせながら、誘導員等が振ったり、かざしたりして車両や人を誘導している。
【先行技術文献】
【特許文献】
【０００３】
【特許文献１】特開２０００−３３１５０２号公報
【考案の概要】
【考案が解決しようとする課題】
【０００４】
しかしながら、誘導員や警備員等は、工事現場等で長時間立った状態で車両や人を誘導しており、特に足腰への負担も大きく、疲労が大きかった。例えば、座るための椅子を持っていくことも考えられるが、誘導灯や他の荷物とともに椅子を持ち運ぶのが不便であったり、現場によっては地面の状態や周囲状況により椅子を置くスペースが確保できなかったり、誘導状況により椅子に座ることができなかったり、あるいは椅子に腰かけて休息しているとさぼっているように見えて体裁が悪い、等の種々の問題が生じていた。
【０００５】
本考案は、上記従来の課題に鑑みてなされたものであり、その一つの目的は、誘導灯を収納して携帯又は保管できるとともに、例えば、使用者が立った姿勢で座るのにも利用でき足腰への負担や疲労を軽減できる誘導灯収納具を提供することにある。
【課題を解決するための手段】
【０００６】
上記課題を解決するために本考案は、グリップ１０２の先端に発光部１０４が設けられた携帯型誘導灯１００を内部に出し入れ自在に収納できる収容空間２０を有する一方に長い中空筒体１２と、該中空筒体１２の一端部に設けられ、使用者が手で把持する把持部１４と、該中空筒体１２の他端部に設けられ、地面に接地させうる接地部１６と、把持部１４の先端に設けられ、接地部１６を地面に接地させて中空筒体１２を立てた状態で使用者が尻を載せることが可能な尻載せ部１８と、を備えた誘導灯収納具１０から構成される。
【０００７】
また、接地部１６から尻載せ部１８までの長さを変更できる長さ調整手段３０を有することとしてもよい。
【０００８】
また、長さ調整手段３０は、中空筒体１２に対して把持部１４を進退自在に取り付けて長さを変更可能な伸縮機構３２を含むこととしてもよい。
【０００９】
また、中空筒体１２の側面に透光部２２が設けられたこととしてもよい。
【００１０】
また、中空筒体１２の側面に蛍光体が設けられたこととしてもよい。
【００１１】
また、中空筒体１２と接地部１６とを着脱自在に構成し、該中空筒体１２の接地部との取付口に誘導灯１００の出し入れ開口２９を形成したこととしてもよい。
【００１２】
また、尻載せ部１８に着脱可能に装着して、使用者の尻を載せうる面積を拡大する補助座部材３６を有することとしてもよい。
【考案の効果】
【００１３】
本考案の誘導灯収納具によれば、グリップの先端に発光部が設けられた携帯型誘導灯を内部に出し入れ自在に収納できる収容空間を有する一方に長い中空筒体と、該中空筒体の一端部に設けられ、使用者が手で把持する把持部と、該中空筒体の他端部に設けられ、地面に接地させうる接地部と、把持部の先端に設けられ、接地部を地面に接地させて中空筒体を立てた状態で使用者が尻を載せることが可能な尻載せ部と、を備えたことから、例えば、交通整理誘導員や警備員等が現場で長時間立っている際に、立椅子のように立った姿勢で尻にあてて座ることができるので、足腰への負担を軽減できるとともに、見た目も損なうことなく利用できる。また、持ち運ぶ際には、誘導灯を収納した状態で携帯できるので、使い勝手がよい。
【００１４】
また、接地部から尻載せ部までの長さを変更できる長さ調整手段を有する構成とすることにより、使用者の脚の長さや姿勢、あるいは現場に応じて長さを変えて使用することができ、実用性を向上できる。
【００１５】
また、長さ調整手段は、中空筒体に対して把持部を進退自在に取り付けて長さを変更可能な伸縮機構を含む構成とすることにより、簡単な構成で長さ調整手段を具体的に実現できる。
【００１６】
また、中空筒体の側面に透光部が設けられた構成とすることにより、誘導灯の光が透光部を介して外部に照射されるので、中空筒体内に誘導灯を収納した状態で誘導灯収納具自体を誘導灯として利用できる。
【００１７】
また、中空筒体の側面に蛍光体が設けられた構成とすることにより、蛍光体の光を利用して誘導等することもできる。
【００１８】
また、中空筒体と接地部とを着脱自在に構成し、該中空筒体の接地部との取付口に誘導灯の出し入れ開口を形成した構成とすることにより、誘導灯の出し入れを簡単に行えるとともに、構造が簡単で低コストで製造できる。
【００１９】
また、尻載せ部に着脱可能に装着して、使用者の尻を載せる面積を拡大する補助座部材を有する構成としたことにより、必要に応じて尻載せ部に補助座部材を装着して尻を載せて座ることにより、使用者が臀部に痛みを感じにくく長時間快適に使用できる。
【図面の簡単な説明】
【００２０】
【図１】本考案の第１の実施形態に係る誘導灯収納具の全体説明図である。
【図２】図１の誘導灯収納具の縦断面図である。
【図３】図１の誘導灯収納具の尻載せ部周辺の拡大説明図である。
【図４】図１の誘導灯収納具に誘導灯を出し入れする際の説明図である。
【図５】図１の誘導灯収納具の長さ調整手段の説明図である。
【図６】図１の誘導灯収納具の使用例の説明図である。
【図７】図１の誘導灯収納具の使用例の説明図である。
【図８】図１の誘導灯収納具の使用例の説明図である。
【考案を実施するための形態】
【００２１】
以下、添付図面を参照しつつ本考案の誘導灯収納具の実施の形態について説明する。本考案の誘導灯収納具は、例えば、誘導員や警備員等が車両や人を誘導する際に使用する誘導灯を収納できるとともに、使用者が立った姿勢で尻を載せて座るのにも利用できる補助具である。図１ないし図３は、本考案に係る誘導灯収納具の第１の実施形態を示している。本実施形態では、誘導灯収納具１０は、中空筒体１２と、把持部１４と、接地部１６と、尻載せ部１８と、を備える。
【００２２】
本実施形態では、誘導灯収納具１０に収納しうる誘導灯１００は、例えば、従来周知の携帯型誘導灯であり、図４に示すように、略棒状のグリップ部１０２の先端に円筒状の発光部１０４が設けられている。発光部１０４は、例えば、赤に着色された円筒状体の内部に発光ダイオード等の光源が内蔵されている。グリップ部１０２内には電池や基板等が内蔵されており、スイッチ１０６を操作することにより、発光部１０４を点灯、消灯又は点滅を切り替えることができる。誘導灯１００の全長は、例えば、４０〜６０ｃｍ程度の比較的長さが短いものが利用される。
【００２３】
図１、図２に示すように、中空筒体１２は、一方に長く形成されており、誘導灯１００を内部に出し入れ自在に収納できる収容空間２０を有する収容本体部である。本実施形態では、中空筒体１２は、例えば、ステンレス等の硬い金属又は硬質プラスチック等の比較的硬質な素材で設けられており、後述のように人が体重をかけても変形又は破損しないような強度で設計されて設けられる。中空筒体１２は、例えば、長手方向の両端が開口されているとともに、長手軸に直交する面での断面形状が円形に形成されるとともに、長手方向の一端から他端に向けて次第に大きく膨らむような形状となっている。中空筒体１２は、例えば、径が小さい一端部側が約３〜４ｃｍ、径が大きい他端部側が約５ｃｍ程度、長手方向長さが約６０ｃｍ程度に形成されている。よって、中通筒体１２の中空内部の収容空間２０も一端から他端に向けて大きく膨らむ形状に形成されている。中空筒体１２の側面には、光を通す透光部２２が形成されている。透光部２２は、例えば、中空筒体１２の長手方向に沿って長いスリット状に形成されるとともに、円周方向に互いに離隔して複数個形成されている。透光部２２は、例えば、中空筒体１２の一部を切欠いて、その切欠いた部分に透明又は半透明で硬質な透光性のプラスチック等の素材で水密状に固定されている。なお、透光部２２は、スリット状に限らず、ある程度幅広の形状としてもよいし、丸や長丸や多角形状、その他強度や製造コスト、又はデザインや収容した誘導灯から外部に書写される光量等に応じて、大きさ、形状、個数等を任意に形成してもよい。
【００２４】
図２に示すように、中空筒体１２の一端部側の内部には、内側にネジ溝が形成された第１の雌ネジ部２４が固定されている。雌ネジ部２４には、後述の把持部１４に設けられた雄ネジ部が進退可能に螺合して取り付けられている。一方、中空筒体１２の他端部の内部にも内側にネジ溝が形成された第２の雌ネジ部２６が設けられている。雌ネジ部２６には、後述の接地部１６に設けられた雄ネジ部が着脱可能に螺合される。
【００２５】
図１に示すように、把持部１４は、中空筒体１２の長手方向の一端部に設けられ、誘導員等の使用者が手で把持するためのグリップ手段である。本実施形態では、把持部１４は、例えば、アルミニウム等の金属や硬質プラスチック等の比較的軽量でかつ硬質な素材で設けられており、中空筒体同様に人が体重をかけても変形又は破損しないような強度で設計されて設けられている。把持部１４は、例えば、中空筒体１２よりも径が小さな円柱状に形成されている。把持部１４は、例えば、径が約３ｃｍ程度、長手方向長さが約１５〜２０ｃｍ程度に形成されている。図１、図２に示すように、把持部１４は、中空筒体１２に接続される基部を該中空筒体１２に対して進退可能に取り付けられている。具体的には、把持部１４の少なくとも基部側の外周には、中空筒体１２の一端部側の雌ネジ部２４に螺合するようにネジ山が形成された雄ネジ部２８が形成されてる。よって、図４にも示すように、把持部１４を長手軸周りに回転させることにより、中空筒体１２に対して進退して全体の長さを伸縮できる伸縮機構３２を構成しており、後述の長さ調整手段３０を構成している。把持部１４の外周面には、例えば、手で握った際に滑らないようにゴム製の滑り止めグリップを設けることとしてもよい。なお、中空筒体１２や把持部１４の構造や形状、長さ等は上述のものに限らず任意に設定してもよい。
【００２６】
接地部１６は、中空筒体１２の長手方向の他端部側に設けられ、地面に接地させうるように設けられた部分である。すなわち、図６に示すように、接地部１６は、中空筒体１２の他端部を下に向けた状態で、地面と接地させうる。図１に示すように、本実施形態では、接地部１６は、例えば、ゴム等の地面に対して滑りにくく、かつ緩衝性を有する緩衝材からなり、半球状の頂部を平面で切断したような形状に形成され、平らな底面とアール状の曲面が設けられている。図４に示すように、接地部１６は、中空筒体１２の他端に対して着脱可能に装着できるようになっている。接地部１６を中空筒体１２から離脱した際には、中空筒体１２の他端側の開口が誘導灯１００の出し入れ開口となる。本実施形態では、接地部１６には、外周にネジ山が形成された雄ネジ部３４が接地部本体から突設されており、該雄ネジ部３４が中空筒体１２の他端側の雌ネジ部２６に螺合するように構成されている。
【００２７】
尻載せ部１８は、把持部１４の先端側に設けられ、使用者が尻を載せることができる座部となる。図１、図６に示すように、尻載せ部１８を設けることにより、地面に接地部１６を接地させて中空筒体１２を立てた状態で、使用者が例えば、立った姿勢で尻を載せて座ることができる。これにより、誘導員等が長時間立っている必要がある場面でも、足腰への負担の軽減、疲労軽減を図ることができる。本実施形態では、尻載せ部１８は、例えば、使用者の臀部に当たるので、ゴム等のある程度の硬さとクッション性がある素材からなり、略円盤状に形成されている。尻載せ部１８は、例えば、直径が約５ｃｍ程度、厚みが約１〜２ｃｍ程度に形成され、把持部１４の先端に一体的に固定されている。よって、本実施形態では、尻載せ部１８と、把持部１４と、中空筒体１２と、接地部１６とを組み付けた誘導灯収納具１０全体の構成は、例えば、野球のバットに似た形状となっている。誘導灯収納具１０の全長は、例えば、約７０〜９０ｃｍ程度に設定される。なお、誘導灯収納具１０の形状や全長、径の大きさ等は任意に設定してもよい。
【００２８】
本実施形態では、図１、図３に示すように、尻載せ部１８に着脱可能に装着される補助座部材３６を有している。補助座部材３６は、尻載せ部１８に装着された際に、使用者の尻を載せうる面積を補助的に拡大する補助座手段を構成する。なお、図３では、説明のために、補助座部材３６を尻載せ部１８に装着した状態で補助座部材のみ縦断面した状態で描いている。補助座部材３６は、例えば、ゴム等のある程度の硬さとクッション性がある素材からなり、尻載せ部１８よりも大きな略円盤状に形成されている。補助座部材３６は、一方の面側が閉鎖され、他方の面の略中央に把持部１４の径より若干大きい径の開口３８が形成されるとともに該開口３８に連通して内部に尻載せ部１８に嵌合状に係合するような大きさの内部空間４０が形成されている。補助座部材３６は、例えば、紐やワイヤー等の索状４２を介して把持部１４と尻載せ部１８との接続部近傍に接続される。補助座部材３６を装着する際には、その素材変形を利用して開口３８を広げつつ、尻載せ部１８の外部に被覆させるようにして該尻載せ部１８を内部空間４０内に誘導させて係合させ、素材の復元力にて元の形状に戻して装着させる。
【００２９】
上述のように、図２、図５に示すように、中空筒体１２に対して把持部１４を進退自在に取り付けられた伸縮機構３２を備えたことにより、接地部１６から尻載せ部１８までの長さを変更できる長さ調整手段３０が構成されている。すなわち長さ調整手段３０は、誘導灯収納具１０の全体の長さを調整する手段でもあり、中空筒体１２と把持部１４とによる伸縮機構３２を有する。これにより、図６に示すように使用者が尻載せ部１８に尻を載せる際に、尻載せ部１８の地面からの高さを調整することができる。さらに、長さ調整手段３０を構成している把持部１４には、長手軸に直交する方向に貫通した貫通孔４４が長手軸方向に所定間隔で離隔した位置に設けられている。貫通孔４４には、ロックピン４６が挿脱自在に装着される。把持部１４の長さを調整した状態でロックピン４６を貫通孔４４に挿入すると、調整した長さを、より確実に保持でき、安全に使用できる。なお長さ調整手段は上記した構成に限らず、把持部１４の長さのみを変更できる構成や中空筒体１２の長さの実を変更できる構成等、その他任意の構成でもよい。
【００３０】
さらに、本実施形態では、図１に示すように、誘導灯収納具１０を携帯等する際に、使用者の衣服等の一部（例えば、ベルトのループ等）に接続するためのフック４８が索条５０を介して取り付けられている。索条５０は、例えば、紐やワイヤー等からなり、基部側が把持部１４と尻載せ部１８との接続部近傍に接続されている。なお、誘導灯収納具１０を携帯しやすくするためにストラップ、肩紐等を取付けることとしてもよい。
【００３１】
次に、本実施携帯に係る誘導灯収納具１０の作用について説明する。図４に示すように、誘導灯１００を出し入れする際には、中空筒体１２から接地部１６を取り外して、中空筒体１２の取り出し開口２９を開いて収容空間２０内に誘導灯１００を出し入れ操作できる。誘導灯１００を中空筒体１２内に収容した状態で携帯して持ち運ぶことができる。例えば、誘導灯１００のスイッチを入れて点灯又は点滅させた状態で収納すると、中空筒体１２の透光部２２を介して光を外部に照射することができる。図６、図８に示すように、使用者Ｍが長時間立ち姿勢を続ける場合などには、接地部１６を地面に接地させて、中空筒体１２を立てた状態で、使用者の尻を尻載せ部に載せることができ、立ち姿勢の状態で支えることができる。これにより、立ち姿勢の状態であっても足腰への負担を軽減でき、長時間立ち続けても疲労を軽減することができる。例えば、図８に示すように、道路誘導員や警備員等は、誘導灯１００を取り出して手で持って車両や人を誘導しながら、誘導灯収納具１０に立ち姿勢で尻を載せて座ることができる。なお、図３に示すように、必要に応じて、補助座部材３６を尻載せ部１８に装着させることもできる。また、図６に示すように、誘導灯１００を中空筒体１２の収容空間２０内に収納した状態で、使用者が立ち姿勢で尻を載せた状態でも、透光部２２を介して光を視認できることから、任務遂行中の体裁も保持できる。さらに、図７に示すように、誘導灯１００を中空筒体１２の収容空間２０内に収納した状態で、把持部１４を手で持って振ることで、その収納状態のまま車両や人を誘導することもできる。よって、必要に応じて誘導灯１００を収納して誘導灯収納具１０を振って車両や人を誘導できる状態（図７参照）と、接地部１６を地面に接地して尻載せ部１８に尻を載せた状態（図６参照）と、をスムーズかつスピーディに切り替えて使用することもできる。すなわち、例えば、車両や人が通る際には、図６のように誘導灯収納具を手で持って誘導し、車両や人が通らない状態では、図７のように誘導灯収納具に尻を載せて足腰への負担の軽減を図ることができる。なお、中空筒体１２には、誘導灯以外に、例えば、雨合羽、折り畳み傘、財布、その他の携行品等を収納することとしてもよい。また、誘導員や警備員等に限らず、例えば、野外コンサート等の立ち見客の補助用椅子として利用することとしてもよい。
【００３２】
以上説明した本考案の誘導灯収納具は、上記した実施形態のみの構成に限定されるものではなく、実用新案登録請求の範囲に記載した本考案の本質を逸脱しない範囲において、任意の改変を行ってもよい。例えば、長さ調整機構３０は、接地部１６の雄ネジ部を長く設けて、中空筒体１２と接地部１６との長さを調整するように構成したり、中空筒体１２や把持部１４を多重筒状にして伸縮できる構成としたりすることとしてもよく、その他任意の構成やそれらを組み合わせたものでもよい。また、長さ調整機構３０による調整範囲は任意に設定してもよい。また、中空筒体１２の誘導灯の出し入れ口は、接地部１６を中空筒体１２に対して蝶番等で開閉して出し入れ口を開閉する構成としてもよいし、中空筒体１２と把持部１４との接続を着脱することにより構成することとしてもよいし、中空筒体１２の側面の一部を開閉することにより出し入れ口を開閉する構成としてもよく、その他任意の構成でもよい。また、中空筒体１２の透光部２２は、必ずしも設けなくてもよいし、透光部２２を開閉できるようにし透光できる状態と透光部を閉鎖した状態とに切り換え可能に設けることとしてもよい。また、中空筒体１２には、例えば、外部から光を吸収して光を発行する蛍光体や光を反射する反射材等を設けることとしてもよい。例えば、中空筒体１２の蛍光体等は、蛍光塗料を塗布したりシール体を張り付けたり等して施すこととしてもよく、上記実施形態での透光部に代えて、図１の透光部２２の大きさ形状のような態様で設けることとしてもよい。また、例えば、中空筒体１２の表面には、誘導灯収納具を使用する警備会社や販売者等の会社名等を記載することとしてもよい。中空筒体１２の表面に会社名等を記載する場合には、塗料による印刷やシール等を施すことにより中空筒体１２の任意の場所に記載してよく、透光部２２（または蛍光体等）の位置や大きさを調整してある程度のスペースを設けて、そのスペースに記載することとしてもよい。
【産業上の利用可能性】
【００３３】
本考案の誘導灯収納具は、交通誘導員や警備員等、その他長時間立った状態で作業等を行う者に有効に利用できる。
【符号の説明】
【００３４】
１０    誘導灯収納具
１２    中空筒体
１４    把持部
１６    接地部
１８    尻載せ部
２０    収容空間
２２    透光部
３０    長さ調整手段
３６    補助座部材
１００    誘導灯
１０２    グリップ部
１０４    発光部
【図１】
0003217335.tif 000003
【図２】
0003217335.tif 000004
【図３】
0003217335.tif 000005
【図４】
0003217335.tif 000006
【図５】
0003217335.tif 000007
【図６】
0003217335.tif 000008
【図７】
0003217335.tif 000009
【図８】
0003217335.tif 000010